(57)【要約】      （修正有）【課題】籠本体の後端部にもたれ掛からない正常な姿勢で乗っている場合、籠本体の後端部にもたれ掛かる姿勢になった場合何れにおいても子供に極めて乗り心地のよい自転車における子供乗せ籠装置を提供する。【解決手段】子供乗せ籠本体１の後端部９の内面に沿って背もたれ板10を設け、背もたれ板10と子供乗せ籠の後端部９の間にはガイド片11,11とガイド溝12,12を設け、後端部９に沿って籠本体１内に収納された背もたれ板10をガイド溝12,12に沿って移動して子供乗せ籠本体１の後端部９の頂部より突出させるようにした自転車における子供乗せ籠装置。【選択図】  図１
2005082072.tif 000002
【特許請求の範囲】
【請求項１】
子供乗せ籠の後端部の内面に沿って背もたれ板を設け、該背もたれ板と子供乗せ籠の後端部の間にはガイド片とガイド溝を設け、子供乗せ籠の後端部に沿って籠内に収納された背もたれ板を上記ガイド溝に沿って移動して子供乗せ籠の後端部の頂部より突出させるようにしたことを特徴とする自転車における子供乗せ籠装置。
【請求項２】
背もたれ板を子供乗せ籠の後端部の頂部より突出させた位置と、子供乗せ籠の後端部の頂部下に収納させた位置で背もたれ板を子供乗せ籠の後端部に固定させるようにした請求項１記載の子供乗せ籠装置。
【発明の詳細な説明】
【技術分野】
【０００１】
この発明は、子供乗せ籠の後端部の内面に沿って背もたれ板を設けた自転車における子供乗せ籠装置に関するものである。
【背景技術】
【０００２】
ハンドルバーの立上部により左右から挟む様なかたちでハンドルステムの頂部に取り付けられ、買い物籠にもなる自転車の子供乗せ籠装置が知られている。
【０００３】
例えば、本願発明者は先に籠本体と該籠本体の前側底面部を構成する前側底面板とからなり、前側底面板には足乗せ台を固定し、また前側底面板の後端部を籠本体の前端に回動可能に枢着し、更に前側底面板と籠本体の前端部間には所定長さのバンドで係止し、更に前側底面板と籠本体の所定箇所にはそれぞれ係止具を設けた自転車の荷籠兼用子供乗せ籠装置を提案した（実公平6-50309号公報）。
【０００４】
これは、前側底面板を下方に回動してバンドの長さまで倒せば、籠本体の前側底面部が開放され、しかも前側底面板に固定された足乗せ台は所定の位置に位置するので、開放された籠本体の前側底面部に足を入れ、籠本体の後側底面部に設けられたシートに腰を乗せ、また足を足乗せ台に乗せれば、子供乗せ籠として使用できる。
【０００５】
しかし、籠本体に乗せられた子供は自転車の走行中、その前面部上端に設けられた握り部に掴まっていることが要求され、例えば自転車の走行中に握り部から手を離すような場合には子供の頭部或いは首が籠本体の後端部にぶつかり、極めて危険な状態となる。
【０００６】
また、その他子供が握り部を掴まることなく、籠本体の後端部に凭れ掛かった姿勢で乗ることも屡々ある。
【０００７】
このため、本願出願人は先にその下端部にスライド部材を設けたヘッドレスト部材を子供籠本体の後端部に設けるとともに、該後端部背面には係合部を設け、該係合部にはスライド部材の長孔を介して係止部材を係合させてヘッドレスト部材を子供乗せ籠本体の後端部に取り付けるようにした自転車における子供乗せ籠装置を提案した（実用新案登録第3052175号公報）。
【特許文献１】実用新案登録第3052175号公報
【発明の開示】
【発明が解決しようとする課題】
【０００８】
しかし、この装置では子供は籠本体の後端部に凭れ掛かる場合には、頭部だけをヘッドレスト部材に凭れ掛けることになり、したがって籠本体内に乗る子供にとっては極めて乗り心地が悪いものとなる。
【課題を解決するための手段】
【０００９】
この発明は、上記実情に鑑み、子供乗せ籠の後端部の内面に沿って背もたれ板を設け、該背もたれ板と子供乗せ籠の後端部の間にはガイド片とガイド溝を設け、子供乗せ籠の後端部に沿って籠内に収納された背もたれ板を上記ガイド溝に沿って移動して子供乗せ籠の後端部の頂部より突出させるようにした子供乗せ籠装置を提案するものである。
【発明の効果】
【００１０】
即ち、この発明では子供が籠本体の後端部にもたれ掛からない正常な姿勢で乗っている場合には背もたれ板は籠本体の後端部に沿って籠内に収納し、子供が籠本体の後端部にもたれ掛かる姿勢になった場合には背もたれ板をガイド溝に沿って移動して子供乗せ籠の後端部の頂部より突出させてこれにもたれ掛からせるが、この発明では背もたれ板に子供の頭部を含めて身体を全体を凭れ掛けさせることができるため、子供にとっては極めて乗り心地がよいものとなる。
【発明を実施するための最良の形態】
【００１１】
子供乗せ籠の後端部の内面に沿って背もたれ板を設け、該背もたれ板と子供乗せ籠の後端部の間にはガイド片とガイド溝を設け、該背もたれ板を該ガイド溝に沿って移動して子供乗せ籠の後端部の頂部より突出させ、また子供乗せ籠の後端部に沿って籠内に収納するようにするとともに、背もたれ板と子供乗せ籠の後端部乃至ガイド片とガイド溝にはそれぞれストッパー片と該ストッパー片の係合部を形成して背もたれ板を子供乗せ籠の後端部の頂部より突出させた位置と、子供乗せ籠の後端部の頂部下に収納させた位置で背もたれ板を子供乗せ籠の後端部に固定させるようにする。
【実施例１】
【００１２】
以下、この発明を図示の実施例に基づいて詳細に説明すると、１はハンドルバー２の中央部にハンドルバーの立上部2a,2bにより左右から挟む様なかたちでハンドルステムの頂部に固定された籠本体、３は籠本体１の前側部、前側部３の後端部を籠本体１の前端部に回動可能に枢着し、籠本体１内に子供を乗せる場合には前側部３を前方に回動して前側部３内に足を伸ばすことができるようにするとともに、籠本体１の前面部の上端には子供の握り部４が設けられる。
【００１３】
なお、この実施例では握り部４は籠本体１の両前側部に対抗状に設けられた基板５，５に回動自在に設けられた支持板６，６にその端部を支持させるとともに、基板５，５には握り部４の起立位置に対応する位置に支持板６のストッパー７と握り部４を後方に倒立位置に対応する位置に支持板６のストッパー８が設けられている。
【００１４】
そして、子供が籠本体１の後端部にもたれ掛からない正常な姿勢で乗っている場合には握り部４を起立させ、子供が籠本体１の後端部にもたれ掛かる姿勢になった場合には握り部４を後方に倒立させるように、子供に楽に握り部４を握らせるようにしてある。
【００１５】
一方、籠本体１の後端部９の内面に沿って背もたれ板10が設けられ、背もたれ板10の背面にはガイド片11,11が上下方向に設けられ、後端部９側にはガイド片11,11の係合するガイド溝12,12が形成され、後端部９の内面に沿って籠本体１内に収納されている背もたれ板10をガイド溝12,12に沿って移動して後端部９の頂部より突出させるようにしてある。
【００１６】
また、後端部９の内面側上部にはストッパー片を構成する回動式の鍵片13が設けられ、背もたれ板10の上部と下部にはそれぞれ横長の係合穴14と15が形成され、更にガイド片11,11の外側部下端にはストッパー片16,16が設けられ、ガイド片11,11の外側部と隣接する後端部９の側部にはストッパー片16,16のガイド溝17,17が形成され、ガイド溝17,17の上端には係合溝18,18が設けられる。
【００１７】
背もたれ板10が後端部９の内面に沿って籠本体１内に収納されている状態では鍵片13を係合穴14に合わせて縦方向に回動することにより背もたれ板10を後端部９に固定する。
【００１８】
また、背もたれ板10をガイド溝12,12に沿って移動して後端部９の頂部より突出させた状態ではストッパー片16,16を溝18,18に係合させ、鍵片13を係合穴14に合わせて縦方向に回動することにより背もたれ板10を後端部９に固定する。
【００１９】
そして、子供が籠本体１の後端部９にもたれ掛からない正常な姿勢で乗っている場合には背もたれ板10は後端部９に沿って籠内に収納し、子供が籠本体の後端部にもたれ掛かる姿勢になった場合には背もたれ板10をガイド溝17,17に沿って移動して後端部９の頂部より突出させてこれにもたれ掛からせる。
【産業上の利用可能性】
【００２０】
この発明では籠本体の後端部にもたれ掛からない正常な姿勢で乗っている場合、籠本体の後端部にもたれ掛かる姿勢になった場合何れにおいても子供に極めて乗り心地のよい自転車における子供乗せ籠装置となる。
【図面の簡単な説明】
【００２１】
【図１】自転車のハンドルバーの頂部に取り付けられた状態におけるこの発明の一実施例を示す側面図
【図２】同上の実施例において子供が籠本体の後端部にもたれ掛からない正常な姿勢で乗っている場合の側面図
【図３】同上の実施例において子供が籠本体の後端部にもたれ掛かる姿勢になった場合の側面図
【図４】同上の実施例において籠本体の後端部を正面より見た斜視図であり、（Ａ）は背もたれ板を後端部の頂部より突出させた状態図、（Ｂ）は背もたれ板を後端部に沿って籠内に収納させた状態図
【図５】同上の実施例において籠本体の後端部を背面より見た斜視図であり、（Ａ）は背もたれ板を後端部の頂部より突出させた状態図、（Ｂ）は背もたれ板を後端部に沿って籠内に収納させた状態図
【図６】同上の実施例において握り部の要部を拡大した斜視図
【符号の説明】
【００２２】
１は籠本体
２はハンドルバー
2a,2bはハンドルバーの立上部
３は籠本体の前側部
４は握り部
５，５は基板
６，６は支持板
７．８はストッパー
９は籠本体の後端部
10は背もたれ板
11,11はガイド片
12,12はガイド溝
13は鍵片
14と15は係合穴
16,16はストッパー片
17,17はガイド溝
18,18は係合溝
【図１】
2005082072.tif 000003
【図２】
2005082072.tif 000004
【図３】
2005082072.tif 000005
【図４】
2005082072.tif 000006
【図５】
2005082072.tif 000007
【図６】
2005082072.tif 000008